(57)【要約】【課題】本発明はシート状物が圧縮成形される前記一対のロール間での成膜状態を直接確認することができ、安定した品質のシート状物を得ることができる成膜装置を提供する。【解決手段】所定の間隔を隔てて互いに平行に配置され、それぞれ回転駆動される一対のプレスロール１１・１２を備え、プレスロール１１・１２間に粉粒体５２を供給し、供給された粉粒体５２をプレスロール１１・１２間で圧縮成形することによりシート状物５２ａを成膜する成膜装置１であって、少なくとも一方のプレスロール１１に、透明部材にて形成され粉粒体５２がプレスロール１１・１２間で圧縮成形される部位である加工部位をプレスロール１１を通じて視認可能とする透過部１１Ａが構成され、透過部１１Ａを通じて前記加工部位の成膜状態を撮像可能な撮像具２０を備える。【選択図】図２
2016112754.tif 000002
【特許請求の範囲】
【請求項１】
所定の間隔を隔てて互いに平行に配置され、それぞれ回転駆動される一対のロールを備え、前記一対のロール間に粉粒体を供給し、供給された前記粉粒体を前記一対のロール間で圧縮成形することによりシート状物を成膜する成膜装置であって、
少なくとも前記一方のロールに、透明部材にて形成され前記粉粒体が前記一対のロール間で圧縮成形される部位を前記ロールを通じて視認可能とする透過部が構成される、
ことを特徴とする成膜装置。
【請求項２】
前記成膜装置は、
前記透過部を通じて、前記粉粒体が前記一対のロール間で圧縮成形される部位の成膜状態を撮像可能な撮像具を備える、
ことを特徴とする請求項１に記載の成膜装置。
【請求項３】
前記成膜装置は、
前記撮像具により撮像した前記成膜状態の良否を評価する評価部と、
前記成膜装置の運転条件を制御する制御部とを備え、
前記制御部は、
前記評価部の評価結果に応じて、前記成膜装置の運転条件を制御する、
ことを特徴とする請求項２に記載の成膜装置。
【請求項４】
前記制御部は、
前記評価部の評価結果に応じて、
前記一対のロールの回転速度、および／または前記一対のロールの間隔を制御する、
ことを特徴とする請求項３に記載の成膜装置。
【請求項５】
前記成膜装置は、
前記一対のロール間に供給される前記粉粒体を貯溜するホッパを備え、
前記ホッパは、
前記ロールの軸方向の両端部に、前記ホッパから前記一対のロール間に供給される前記粉粒体の、前記ロールの軸方向における供給幅を規制する側面を備え、
前記側面は、
前記粉粒体が前記一対のロール間で圧縮成形される部位への延出量、および前記粉粒体の前記ホッパから前記一対のロール間へ向けての吐出方向に対する角度を変更可能に構成され、
前記制御部は、
前記評価部の評価結果に応じて、
前記ホッパの側面の、前記粉粒体が前記一対のロール間で圧縮成形される部位への延出量、および／または前記粉粒体の前記吐出方向に対する角度を制御する、
ことを特徴とする請求項３または請求項４に記載の成膜装置。
【請求項６】
前記透過部を有するロールは、中空部を有する円筒状部材にて構成され、
前記撮像具は、前記中空部の内周面側から前記透過部を通じて、前記粉粒体が前記一対のロール間で圧縮成形される部位の成膜状態を撮像する、
ことを特徴とする請求項２〜請求項５の何れか一項に記載の成膜装置。
【発明の詳細な説明】
【技術分野】
【０００１】
本発明は、粉粒体を圧縮することにより成膜を行う成膜装置に関する。
【背景技術】
【０００２】
従来、粉粒体を圧縮することによりシート状物を成膜する成膜装置として、所定の間隔を隔てて互いに平行に配置される一対のロールを備え、回転駆動される前記一対のロール間に前記粉粒体を供給して、前記一対のロール間で前記粉粒体を圧縮成形することにより前記シート状物を成膜する成膜装置が知られている。
【０００３】
このような成膜装置においては、前記一対のロールの回転速度等の運転条件によってシート状物の成膜状態が変化するため、成膜後のシート状物の成膜状態を確認し、確認した成膜状態に応じて前記一対のロールの回転速度を調整することが行われている。
成膜されたシート状物の成膜状態の確認は、例えば、特許文献１に記載されているように、シート状物が圧縮成形される前記一対のロール間よりも下流側の部位において、前記シート状物の膜厚を測定することで行われている。
【先行技術文献】
【特許文献】
【０００４】
【特許文献１】特開２０１４−１９１８８０号公報
【発明の概要】
【発明が解決しようとする課題】
【０００５】
しかし、前述のシート状物の膜厚の測定は、シート状物が圧縮成形される前記一対のロール間から離れた下流側の部位において行われており、膜厚の測定部位とシート状物が圧縮成形される部位とが異なっているため、測定した膜厚に基づいて前記一対のロールの回転速度を調整した場合、膜厚の調整に遅れが発生して、安定した品質のシート状物を得ることが困難であった。
【０００６】
そこで、本発明においては、シート状物が圧縮成形される前記一対のロール間での成膜状態を直接確認することができ、安定した品質のシート状物を得ることが可能な成膜装置を提供するものである。
【課題を解決するための手段】
【０００７】
上記課題を解決する成膜装置は、以下の特徴を有する。
即ち、請求項１記載の如く、所定の間隔を隔てて互いに平行に配置され、それぞれ回転駆動される一対のロールを備え、前記一対のロール間に粉粒体を供給し、供給された前記粉粒体を前記一対のロール間で圧縮成形することによりシート状物を成膜する成膜装置であって、少なくとも前記一方のロールに、透明部材にて形成され前記粉粒体が前記一対のロール間で圧縮成形される部位を前記ロールを通じて視認可能とする透過部が構成される。
【０００８】
また、請求項２記載の如く、前記成膜装置は、前記透過部を通じて、前記粉粒体が前記一対のロール間で圧縮成形される部位の成膜状態を撮像可能な撮像具を備える。
【０００９】
また、請求項３記載の如く、前記成膜装置は、前記撮像具により撮像した前記成膜状態の良否を評価する評価部と、前記成膜装置の運転条件を制御する制御部とを備え、前記制御部は、前記評価部の評価結果に応じて、前記成膜装置の運転条件を制御する。
【００１０】
また、請求項４記載の如く、前記制御部は、前記評価部の評価結果に応じて、前記一対のロールの回転速度、および／または前記一対のロールの間隔を制御する。
【００１１】
また、請求項５記載の如く、前記成膜装置は、前記一対のロール間に供給される前記粉粒体を貯溜するホッパを備え、前記ホッパは、前記ロールの軸方向の両端部に、前記ホッパから前記一対のロール間に供給される前記粉粒体の、前記ロールの軸方向における供給幅を規制する側面を備え、前記側面は、前記粉粒体が前記一対のロール間で圧縮成形される部位への延出量、および前記粉粒体の前記ホッパから前記一対のロール間へ向けての吐出方向に対する角度を変更可能に構成され、前記制御部は、前記評価部の評価結果に応じて、前記ホッパの側面の、前記粉粒体が前記一対のロール間で圧縮成形される部位への延出量、および／または前記粉粒体の前記吐出方向に対する角度を制御する。
【００１２】
また、請求項６記載の如く、前記透過部を有するロールは、中空部を有する円筒状部材にて構成され、前記撮像具は、前記中空部の内周面側から前記透過部を通じて、前記粉粒体が前記一対のロール間で圧縮成形される部位の成膜状態を撮像する。
【発明の効果】
【００１３】
本発明によれば、シート状物が圧縮成形される前記一対のロール間での成膜状態を直接確認することができ、安定した品質のシート状物を得ることができる。
【図面の簡単な説明】
【００１４】
【図１】成膜装置の第１実施形態を示す側面図である。
【図２】成膜装置の第１実施形態を示す一部平面断面図である。
【図３】成膜装置の第１実施形態において、円筒状のプレスロールを透過部と非透過部とを備えたロールに構成した場合の一部平面断面図である。
【図４】撮像具のカメラにより撮像した加工部位の撮像画像を示す図である。
【図５】第１実施形態の成膜装置を用いてシート状物を成膜している最中に、加工部位における成膜状態の評価を行う際のフローを示す図である。
【図６】加工部位の軸方向における中央部の撮像画像から良好部位を抽出し、抽出した良好部位における各部の寸法値等を、成膜状態の評価を行う際の良否の判断基準値として用いる例を示す図である。
【図７】加工部位の軸方向における端部の撮像画像から良好部位を抽出し、抽出した良好部位における各部の寸法値等を、成膜状態の評価を行う際の良否の判断基準値として用いる例を示す図である。
【図８】透過部を通じた加工部位の撮像装置として、カメラに代えてボアスコープを用いた成膜装置を示す一部平面断面図である。
【図９】加工部位を視認可能とするプレスロールとして、透明部材にて形成された中実の円柱状のプレスロールを用いた成膜装置を示す側面図である。
【図１０】二本ロール式の成膜装置を示す側面図である。
【図１１】成膜装置の第２実施形態を示す側面図である。
【図１２】第２実施形態の成膜装置を用いてシート状物を成膜している最中に、加工部位における成膜状態の評価を行う際のフローを示す図である。
【図１３】粉粒体を圧縮成形する一対のプレスロールの回転駆動速度を、当該一対のプレスロールの速度比が変化するように制御した場合の、成膜状態を示す図である。
【図１４】成膜装置の第３実施形態を示す側面図である。
【図１５】成膜装置の第３実施形態を示す正面図である。
【図１６】成膜装置の第３実施形態を示す平面図である。
【図１７】第３実施形態の成膜装置を用いてシート状物を成膜している最中に、加工部位における成膜状態の評価を行う際のフローを示す図である。
【図１８】ホッパの可動側面の延出量や傾斜角度による、加工部位におけるシート状物の軸方向端部の成膜状態の違いを示す図である。
【発明を実施するための形態】
【００１５】
次に、本発明を実施するための形態を、添付の図面を用いて説明する。
【００１６】
[第１実施形態]
本発明に係る成膜装置の第１実施形態について説明する。
図１、図２に示す成膜装置１は、所定の間隔を隔てて互いに平行に配置され、それぞれ回転駆動される一対のプレスロール１１・１２と、粉粒体５２を貯溜するホッパ３０とを備えており、ホッパ３０から一対のプレスロール１１・１２間に粉粒体５２を供給して、一対のロール１１・１２間で粉粒体５２を圧縮成形することによりシート状物５２ａを成膜する成膜装置である。
【００１７】
粉粒体５２は、例えば電極活物質や結着剤等を水等の溶媒に分散させることにより得られるペースト状の湿潤粉粒体とすることができ、粉粒体５２を一対のロール１１・１２間で圧縮成形することにより得られるシート状物５２ａは、例えばリチウムイオン二次電池の電極を構成する電極合材層として用いられるものとすることができる。
【００１８】
プレスロール１１は、中空部１１ａを有した円筒状部材にて構成され、プレスロール１２は、例えば中実の円柱状部材にて構成されている。
プレスロール１１・１２は、それぞれ軸方向を水平に向けた状態で配置されるとともに、水平方向に並設されている。
【００１９】
プレスロール１１・１２は、それぞれモータ等の駆動源により軸を中心として回転駆動可能に構成されており、その回転駆動方向は、互いに逆方向となっている。プレスロール１１・１２の回転駆動方向は、具体的には、プレスロール１１・１２の外周面における互いに対向する部分が、下方へ向けて回動する方向となっている（図１においては、プレスロール１１が反時計まわりに回転駆動され、プレスロール１２が時計まわりに回転駆動されている）。
プレスロール１１・１２は、その回転駆動速度を、それぞれ独立して変更可能に構成されている。また、プレスロール１１・１２は、プレスロール１１とプレスロール１２との間隔（即ちプレスロール１１とプレスロール１２との相対距離）を変更可能に構成されている。
本実施形態におけるプレスロール１１は、全体的に透明な部材により構成されており、内部の中空部１１ａからプレスロール１１を通じて、プレスロール１１の外側を視認可能となっている。
【００２０】
成膜装置１は、例えば中実の円柱状部材にて構成される転写ロール１３をさらに備えている。転写ロール１３は、プレスロール１１に対して所定の間隔を隔てて平行に、近接配置されている。転写ロール１３は、プレスロール１２よりもプレスロール１１の回転方向の下流側に位置しており、例えばプレスロール１１の下方に位置している。
【００２１】
転写ロール１３は、モータ等の駆動源により軸を中心として回転駆動可能に構成されており、その回転駆動方向は、プレスロール１１の回転駆動方向とは逆方向となっている（図１においては、転写ロール１３は時計まわりに回転駆動されている）。
転写ロール１３の外周面にはシート状の基材５１が巻回されており、基材５１は転写ロール１３の回転方向に搬送されている。基材５１は、例えばリチウムイオン二次電池における電極の集電箔として用いられる金属箔にて構成されている。
このように、成膜装置１は、プレスロール１１・１２および転写ロール１３により成膜部１０を構成する三本ロール式の成膜装置である。
【００２２】
ホッパ３０は、プレスロール１１・１２の上方（プレスロール１１・１２の回転方向の上流側）に近接配置されており、ホッパ３０内の粉粒体５２をプレスロール１１とプレスロール１２との間に供給可能に構成されている。
【００２３】
ホッパ３０から、回転駆動されるプレスロール１１とプレスロール１２との間に供給された粉粒体５２は、プレスロール１１とプレスロール１２との間の間隙に咬み込まれ圧縮成形される。この場合、粉粒体５２は、プレスロール１１・１２の対向方向に圧縮される。
プレスロール１１・１２間で圧縮成形された粉粒体５２は、シート状物５２ａとなってプレスロール１１・１２間の下流側に排出される。
プレスロール１１・１２間の下流側に排出されたシート状物５２ａは、プレスロール１１に巻き付いた状態で、プレスロール１１の回転方向下流側に搬送される。
【００２４】
なお、プレスロール１１・１２間で粉粒体５２が圧縮成形される部位（以降、適宜「加工部位」と呼ぶ）は、軸方向における所定範囲にわたって存在しており、例えばロール１１・１２間における軸方向の中央部に位置している。
また、プレスロール１１・１２の回転方向（図１における上下方向）においては、プレスロール１１とプレスロール１２とが最も近接する箇所の近傍における所定範囲が前記加工部位となっている。例えば、プレスロール１１とプレスロール１２とが最も近接する箇所（最近接箇所）から、前記最近接箇所よりも所定寸法だけプレスロール１１・１２の回転方向上流側(上側)へいった箇所までの範囲が前記加工部位となっている。
【００２５】
プレスロール１１により搬送されるシート状物５２ａは、プレスロール１１と転写ロール１３との間隙に到達すると、転写ロール１３により搬送される基材５１と当接し、プレスロール１１の外周面から基材５１の表面に転写される（乗り移る）。このように、シート状物５２ａが基材５１に転写されることで、基材５１上にシート状物５２ａが形成された圧縮成形シート５が得られる。
【００２６】
成膜装置１は、被写体を撮像するためのカメラ２１と、カメラ２１の撮像方向を変更するためのミラー２２と、カメラ２１の撮像対象となる被写体を照射する照明２３とを有する撮像具２０を備えている。
カメラ２１は、プレスロール１１の軸方向一側に位置しており、その撮像方向をプレスロール１１の軸方向であって中空部１１ａ側に向けた姿勢に配置されている。
【００２７】
ミラー２２は、プレスロール１１の中空部１１ａ内に位置しており、カメラ２１の撮像方向を、プレスロール１１の軸方向から、前記軸方向と直交する方向であってプレスロール１２が配置される側、即ち前記加工部位が存在する側へ変更する姿勢に配置されている。つまり、ミラー２２は、中空部１１ａ内における軸方向中央部に、光の反射面を前記軸方向に対して４５°傾斜させた姿勢で配置されている。ミラー２２は、プレスロール１１が回転駆動されている際にも、前記姿勢を維持可能に構成されている。
【００２８】
照明２３は、プレスロール１１の軸方向一側または他側に位置しており、プレスロール１１の中空部１１ａ側から前記加工部位を照射可能に構成されている。
【００２９】
このように構成される撮像具２０においては、カメラ２１は、プレスロール１１の外部から、中空部１１ａ内における前記加工部位が存在する側の内周面を撮像することが可能となっているが、プレスロール１１は透明部材にて構成されているため、前記内周面（プレスロール１１）を透過して前記加工部位を撮像可能となっている。
つまり、プレスロール１１は、中空部１１ａからプレスロール１１を通じて前記加工部位を視認可能に構成されているため、撮像具２０のカメラ２１によりプレスロール１１を通じて前記加工部位を撮像することが可能となっている。この場合、カメラ２１は、前記加工部位を粉粒体５２の圧縮方向から撮像することとなる。
【００３０】
また、カメラ２１により前記加工部位を撮像する際に、照明２３は、カメラ２１が前記加工部位を撮像する側と同じ側から前記加工部位を照射するように配置されている。これにより、カメラ２１は、前記加工部位からの反射光を捉えて、前記加工部位の圧縮成形状態を良好に撮像することが可能となっている。この場合、照明２３の照射角度は、照射方向がプレスロール１１の軸方向と直交する方向に近くなる角度に設定した方が好ましいが、照射方向がプレスロール１１の軸方向に近くなる角度に設定しても、撮像画像に与える影響は少ない。
【００３１】
一方、カメラ２１が前記加工部位を撮像する側と反対側（プレスロール１２側）に照明２３を配置して、前記加工部位を照射すると、カメラ２１により前記加工部位を撮像する際に逆光となり、前記加工部位の圧縮成形状態を良好に撮像することが困難となる。
なお、照明２３は、プレスロール１１の周方向へ移動可能に構成したり、軸方向へ移動可能に構成したりして、照射カメラ２１による加工部位の撮像画像が鮮明になるように、照明２３による加工部位の照射位置を適宜調節することができる。
【００３２】
プレスロール１１において、透明部材にて形成されプレスロール１１を通じて粉粒体５２の加工部位を視認可能とする部分は、透過部１１Ａとして構成される。本実施形態においては、プレスロール１１が全体的に透明部材にて構成されているため、プレスロール１１の全体が透過部１１Ａとして構成されている。
但し、透過部１１Ａは、少なくとも軸方向において前記加工部位が存在する範囲のみに構成されていれば足りるので、図３に示すように、プレスロール１１の軸方向中央部を透明部材にて形成した透過部１１Ａとして構成し、プレスロール１１の軸方向両端部を透明部材でない部材にて形成した非透過部１１Ｂとして構成することも可能である。
【００３３】
透過部１１Ａは、例えばプレスロール１１の周方向の全域にわたって形成することができるが、周方向の一部にのみ形成することも可能である。また、周方向の一部にのみ形成した透過部１１Ａを周方向に複数並設することも可能である。
透過部１１Ａをプレスロール１１の周方向の全域にわたって形成した場合は、回転駆動されるプレスロール１１を通じた前記加工部位の撮像を連続的に行うことができる。また、透過部１１Ａをプレスロール１１の周方向の一部に形成した場合、および周方向の一部にのみ形成した透過部１１Ａを周方向に複数並設した場合は、回転駆動されるプレスロール１１を通じた前記加工部位の撮像は断続的に行われることとなる。
【００３４】
粉粒体５２の加工部位をカメラ２１により撮像すると、図４に示すような撮像画像が得られる。図４（ａ）に示す撮像画像は、加工部位において粉粒体５２が全体的に良好に圧縮成形された良品を示す画像であり、図４（ｂ）に示す撮像画像は、加工部位において粉粒体５２が良好に圧縮形成されていない部分を多く含む不良品を示す画像である。
図４に示す撮像画像においては、加工部位において粉粒体５２が緻密に圧縮されて良好な圧縮成形状態にある部分が良好部位として濃度の高い黒色にて表わされ、粉粒体５２が緻密に圧縮されておらず良好な圧縮成形状態にない部分（粉粒体５２が疎な状態に圧縮されており圧縮成形状態が不良である部分）が不良部位として良好部位よりも低い濃度にて表わされる。
【００３５】
図４（ａ）に示す撮像画像においては、加工部位の全体にわたって濃度の高い黒色の良品部位が出現しており、加工部位におけるシート状物５２ａの成膜状態が良好であることがわかる。つまり、粉粒体５２が加工部位において全体的に緻密に圧縮されており、良好なシート状物５２ａが成膜されていることがわかる。
図４（ｂ）に示す撮像画像においては、加工部位のごく一部にのみ濃度の高い黒色の良品部位が出現しており、他の多くに部位には濃度の低い灰色の不良部位が出現しているため、加工部位におけるシート状物５２ａの成膜状態が良好でない（不良である）ことがわかる。つまり、加工部位に、粉粒体５２が粗に圧縮されている不良部位が多く存在していて、良好でない（不良である）シート状物５２ａが成膜されていることがわかる。
【００３６】
このように、成膜装置１においては、プレスロール１１が透明部材にて形成される透過部１１Ａを備えているので、カメラ２１により透過部１１Ａを通じて粉粒体５２の加工部位を撮像することが可能となっている。これにより、前記加工部におけるシート状物５２ａの成膜状態を、カメラ２１による撮像画像により視覚的に直接確認して評価することが可能となる。
【００３７】
特に、粉粒体５２を圧縮成形している加工部位の成膜状態を直接確認することができるので、シート状物５２ａの成膜中に、加工部位における成膜状態が変化して目標とする状態でなくなった場合には、その変化を直ちに検知することが可能である。従って、運転条件を迅速に変更して、加工部位における成膜状態を目標とする状態に戻すことが可能となる。
また、プレスロール１１・１２の間隔や回転駆動速度等といった成膜装置１の運転条件を変化させると、その運転条件に応じて加工部位における粉粒体５２の成膜状態も変化するが、成膜装置１の運転中に、加工部位の成膜状態を直接確認しながら運転条件を変化させることで、良好な成膜状態となる運転条件を迅速に見出すことが可能となり、良好な品質のシート状物５２ａを得るための条件出しの工数を削減することが可能である。
【００３８】
なお、成膜装置１においては、プレスロール１１・１２間の上方にはホッパ３０が近接配置され、プレスロール１１・１２間の下方からは成膜されたシート状物５２ａが排出されてくるため、プレスロール１１・１２間の上方および下方からは、プレスロール１１・１２間の加工部位における成膜状態を視認することが困難である。
【００３９】
次に、成膜装置１において、所定の条件にて粉粒体５２を圧縮成形してシート状物５２ａを成膜し、圧縮成形シート５を製造している最中に加工部位における成膜状態の評価を行う際のフローについて説明する。
【００４０】
図５に示すように、まず、プレスロール１１・１２の間隔や回転駆動速度等といった成膜装置１の運転条件を決定する（Ｓ０１）。次に、決定した運転条件に従って成膜装置１を運転し、粉粒体５２をホッパ３０からプレスロール１１・１２間に供給し、供給した粉粒体５２をプレスロール１１・１２間にて圧縮成形してシート状物５２ａを成膜する（Ｓ０２）。シート状物５２ａの成膜中に、カメラ２１により粉粒体５２の加工部位をプレスロール１１の透過部１１Ａを通じて撮像し、前記加工部位の撮像画像を取得する（Ｓ０３）。さらに、取得した前記加工部位の撮像画像を用いて、成膜状態の評価を行う（Ｓ０４）。
【００４１】
前述のステップＳ０４において行われる、カメラ２１による撮像画像を用いた成膜状態の評価は、具体的には以下のように行うことができる。
成膜状態の評価を行う際には、例えばカメラ２１により撮像した画像に対してグレースケール処理等の画像処理を適宜行い、撮像画像の加工部位において良好部位として表わされている範囲の画像を抽出し、抽出した良好部位の画像に基づいて加工部位の成膜状態の良否について評価を行う。
図６には、加工部位の軸方向における中央部の撮像画像を示しており、所定の閾値により良好部位として判別された範囲の画像が抽出される。撮像画像における良好部位と不良部位とを判別する閾値としては、所定の濃度値を適宜設定することができ、前記閾値以上の濃度値の範囲を良好部位として判別し、前記閾値よりも低い濃度値の範囲を不良部位と判別する。
【００４２】
抽出した良好部位の画像に基づいて成膜状態の評価を行う際の良否の判断基準は、例えば良好部位の画像の上下方向（プレスロール１１の周方向）の最大寸法Ｄａ、良好部位の画像の上下方向の最小寸法Ｄｂ、良好部位の画像における軸方向一端部から他端部にかけての上下方向寸法を平均した平均寸法Ｄｃ、良好部位の画像における軸方向の辺の直線性、および良好部位の画像の面積Ｄｅ等を挙げることができる。良好部位の画像における軸方向の辺の直線性については、所定の上下幅ｗａの範囲内に収まっている、良好部位の画像における軸方向の辺の長さＤｄ等の値を用いることができる。
【００４３】
成膜状態の良否の評価は、例えば抽出した良好部位の画像から前述の判断基準となる値を算出し、算出した判断基準値と予め設定された閾値とを比較することにより行う。
これらの判断基準の値は、何れか一つ、または複数を用いて、成膜状態の良否の評価を行うことができる。
【００４４】
前記撮像画像を用いた成膜状態の評価は、加工部位の軸方向における端部を撮像した画像を用いて行うこともできる。
図７には、加工部位の軸方向における一側端部を撮像した画像を示している。
成膜状態の評価を行う際には、前述の軸方向中央部の加工部位を撮像した撮像画像を用いて場合と同様に、撮像画像の加工部位において良好部位として表わされている範囲の画像を抽出し、抽出した良好部位の画像に基づいて加工部位の成膜状態の良否、即ち成膜されるシート状物５２ａが良品であるか、または不良品であるかについての評価を行う。
【００４５】
成膜状態の評価を行う際の良否の判断基準としては、例えば良好部位の画像の軸方向の最大寸法Ｄｆ、良好部位の画像における上下方向一端部から他端部にかけての軸方向寸法を平均した平均寸法Ｄｇ、良好部位の画像における上下方向の辺の直線性等を挙げることができる。良好部位の画像における上下方向の辺の直線性については、所定の軸方向幅ｗｂの範囲内に収まっている、良好部位の画像における上下方向の辺の長さＤｈ等の値を用いることができる。
成膜状態の良否の評価は、これらの判断基準の何れか一つ、または複数を用いて行うことができる。
【００４６】
なお、前記撮像画像を用いた成膜状態の評価は、加工部位の軸方向における中央部を撮像した画像と、加工部位の軸方向における端部を撮像した画像との何れか一方を用いて行うだけでなく、その両方を用いて行うこともでき、さらに加工部位を軸方向の全域にわたって撮像した画像を用いて行うことも可能である。
【００４７】
また、本実施形態においては、カメラ２１およびミラー２２を備えた撮像具２０を用いて、粉粒体５２の加工部位を撮像するように構成しているが、撮像装置としてカメラ２１に代えて図８に示すようなボアスコープ２４を用いることもできる。
ボアスコープ２４は、撮像本体２４ａと、撮像本体２４ａから延出する光ファイバー２４ｂとを備えている。撮像本体２４ａは、プレスロール１１の軸方向一側に位置しており、光ファイバー２４ｂは、撮像本体２４ａからプレスロール１１の軸方向における中空部１１ａ側へ向けて延出し、中空部１１ａ内の軸方向中央部にて、加工部位側へ屈曲している。
【００４８】
このように、撮像具２０にボアスコープ２４を用いることで、ボアスコープ２４の光ファイバー２４ｂを中空部１１ａ内に挿入して、プレスロール１１の透過部１１Ａを通じた粉粒体５２の加工部位の撮像を、ボアスコープ２４により直接行うことができるため、ミラー２２を設置する必要がなく、撮像具２０を簡単な構成とすることができる。
但し、カメラ２２の方が、ボアスコープ２４よりも、分解能や撮像画像の明るさに優れたものを入手し易いことが多い。
【００４９】
また、本実施形態では、粉粒体５２の加工部位を、当該プレスロールを通じて視認可能とするプレスロールとして、中空部１１ａを有した円筒状のプレスロール１１を用いたが、プレスロール１１の代わりに、図９に示すような透明部材にて形成された中実の円柱状のプレスロール１１１を用いることもできる。
【００５０】
プレスロール１１１を用いた場合は、撮像具２０のカメラ２１を、プレスロール１１１の加工部位側とは反対側に配置して、カメラ２１により、プレスロール１１１の外側からプレスロール１１１を径方向に通じて、加工部位を撮像することができる。
従って、プレスロール１１１を用いた場合は、プレスロール１１を用いた場合のようにミラー２２を設置する必要がなく、装置構成を簡単な構成にすることができる。
但し、プレスロール１１のように中空部１１ａを有した円筒状のプレスロールを用いた場合の方が、カメラ２１により加工部位を撮像する際に、加工部位からの反射光が透明部材を透過する距離が少ないため、鮮明な画像を得ることが容易である。
【００５１】
なお、プレスロール１１１においても、プレスロール１１の場合と同様に、その全体を透明部材にて形成するだけでなく、前記加工部位が存在する範囲のみを透明部材にて形成することができる。
【００５２】
また、本実施形態では、プレスロール１１のみを、ロールを通じて前記加工部位の視認を可能とする透過部を有したプレスロールとして構成したが、これに限るものではなく、プレスロール１２のみに透過部を構成したり、プレスロール１１・１２の両方に透過部を構成したりすることも可能である。
【００５３】
また、本実施形態の成膜装置１は、三本ロール式の成膜装置に構成しているが、転写ロール１３を備えず、プレスローラ１１・１２のみを備えた二本ロール式の成膜装置に構成することもできる。
この場合は、図１０に示すように、プレスローラ１２の外周面にシート状の基材５１を巻回して、プレスローラ１１・１２間の加工部位にて粉粒体５２を圧縮成形して成膜したシート状物５２ａを、基材５１とともにプレスローラ１２により搬送する構成となる。
なお、透過部は、三本ロール式の成膜装置に構成した場合と同様に、プレスローラ１１に構成することができ、撮像具２０によりプレスローラ１１の透過部１１Ａを通じて加工部位の撮像を行うことができる。
【００５４】
[第２実施形態]
次に、本発明に係る成膜装置の第２実施形態について説明する。
図１１に示す成膜装置６は、第１実施形態の成膜装置１に対して評価装置８０および制御装置９０を加えたものであり、成膜装置６における成膜部１０、撮像具２０、およびホッパ３０は成膜装置１と同じ構成である。
従って、成膜装置６における成膜部１０、撮像具２０、およびホッパ３０については、その説明を省略する。
【００５５】
評価装置８０は、成膜装置６において、撮像具２０により撮像した加工部位の成膜状態の良否を評価する評価部を構成するものである。
評価装置８０にはカメラ２１が接続されており、カメラ２１により撮像した画像が入力される。評価装置８０においては、入力された撮像画像に対して、グレースケール処理等の画像処理が適宜行わるとともに、画像処理が行われた撮像画像を用いて、加工部位における成膜状態の良否が評価される。
【００５６】
制御装置９０は、成膜装置６における運転条件を制御する制御部を構成するものである。制御装置９０は、成膜部１０、撮像具２０および評価装置７０等に接続されており、成膜装置６の運転動作および運転条件の制御を行うものである。
具体的には、制御装置９０は、成膜装置６に入力された、プレスロール１１・１２の間隔や回転駆動速度等の運転条件に基づいて成膜装置６を動作させる機能や、評価装置８０における成膜状態の評価結果を受けて、プレスロール１１・１２の間隔や回転駆動速度等といった成膜装置６の運転条件を変更して成膜装置６を動作させる機能を備えている。また、撮像具２０におけるカメラ２１の撮像動作や照明２３の照射動作等を制御する機能を備えている。
【００５７】
つまり、成膜装置６においては、粉粒体５２を圧縮成形してシート状物５２ａを成膜している最中に、評価装置８０により加工部位における成膜状態の評価を行うとともに、制御装置９０により、評価装置８０による評価結果を成膜装置６にフィードバックして、前記評価結果が不良であった場合には、成膜装置６の運転条件が変更されたうえでシート状物５２ａの成膜が継続して行われる。
【００５８】
次に、成膜装置６において、粉粒体５２を圧縮成形してシート状物５２ａを成膜している最中に加工部位における成膜状態の評価を行う際のフローについて説明する。
【００５９】
図１２に示すように、まず、プレスロール１１・１２の間隔や回転駆動速度等といった成膜装置６の初期の運転条件を決定し、決定した運転条件を入力装置を通じて制御装置９０に入力する（Ｓ１１）。制御装置９０は、入力された初期の運転条件に従って成膜装置６を運転制御する。制御装置９０により運転制御される成膜装置６においては、粉粒体５２がホッパ３０からプレスロール１１・１２間に供給され、供給された粉粒体５２がプレスロール１１・１２間にて圧縮成形されてシート状物５２ａが成膜される（Ｓ１２）。シート状物５２ａの成膜中には、制御装置９０により制御されるカメラ２１により、粉粒体５２の加工部位がプレスロール１１の透過部１１Ａを通じて撮像され、前記加工部位の撮像画像が評価装置８０に入力される。（Ｓ１３）。前記加工部位の撮像画像が入力された評価装置８０においては、入力された前記加工部位の撮像画像を用いて、前記加工部位における成膜状態の評価が行われる（Ｓ１４）。
【００６０】
ステップＳ１４において行われる、評価装置８０による加工部位における成膜状態の評価は、第１実施形態における成膜状態の評価をする際のフローのステップＳ０４にて行われる成膜状態の評価と同様に行われる。
つまり、例えばカメラ２１により撮像した画像に対してグレースケール処理等の画像処理を適宜行い、撮像画像の加工部位において良好部位として表わされている範囲の画像を抽出し、抽出した良好部位の画像から評価の判断基準となる値を算出し、算出した判断基準値と予め設定された閾値とを比較することにより、成膜状態の評価を行う。
また、評価装置８０により、前回算出された評価の判断基準となる値と、今回算出された評価の判断基準となる値とを比較することにより、成膜状態の評価を行うことも可能である。
【００６１】
ステップＳ１４での評価装置８０による加工部位における成膜状態の評価の結果、前記成膜状態が良好であると評価された場合、即ち成膜されるシート状物５２ａが良品であると評価された場合は（Ｓ１５）、制御装置９０は、成膜装置６の運転条件を変更することなく、現在の運転条件を維持して成膜装置６の運転を継続する（Ｓ１６）。
一方、ステップＳ１４での評価装置８０による加工部位における成膜状態の評価の結果、前記成膜状態が不良であると評価された場合、即ち成膜されるシート状物５２ａが不良品であると評価された場合は（Ｓ１５）、成膜装置６の運転条件を変更したうえで、成膜装置６の運転を継続する（Ｓ１７）。
【００６２】
この場合、制御装置９０により変更される成膜装置６の運転条件は、プレスロール１１・１２の間隔や回転駆動速度である。
また、プレスロール１１・１２の間隔や回転駆動速度といった運転条件の変更は、成膜状態が現在の不良である状態から良好である状態になるように行われる。
成膜状態が不良である状態から良好である状態になる運転条件は、予め実験等により求めて制御装置９０に記憶しておくことができる。
評価装置８０により加工部位における成膜状態が不良であると評価された場合は、例えば、成膜装置６の運転条件の変更として、プレスロール１１・１２の間隔を小さくしたり、プレスロール１２の回転駆動速度に対するプレスロール１１の回転駆動速度の比が増加するようにプレスロール１１・１２の回転駆動速度を変更したりして、加工部位における成膜状態を良好にすることが可能である。
【００６３】
ここで、プレスロール１１・１２の回転駆動速度を変更した場合に成膜状態が変化する様子について説明する。
図１３には、プレスロール１１・１２の回転駆動速度を、プレスロール１１とプレスロール１２の速度比（速度比＝プレスロール１１の回転駆動速度／プレスロール１２の回転駆動速度）が変化するように制御した場合の、成膜状態を示している。この場合、例えばプレスロール１２の回転駆動速度を固定するとともに、プレスロール１１の回転駆動速度を調整することにより、前記速度比を変化させることができる。
【００６４】
図１３（ａ）に示すように、前記速度比が０．２の場合、加工部位において良品部位は僅かな範囲にしか出現しておらず、多くの部分が不良部位となっている。
図１３（ｂ）に示すように、この状態から、前記速度比が０．４となるようにプレスロール１１の回転駆動速度を変化させると、加工部位における良品部位の範囲が増加し、加工部位の大部分が良品部位となり、不良部位は僅かな範囲にのみ存在することとなる。
図１３（ｃ）に示すように、さらにプレスロール１１の回転駆動速度を変化させて、前記速度比を０．８にすると、加工部位が全体にわたって良品部位となった。
このように、成膜装置６の運転条件であるプレスロール１１・１２の回転駆動速度を変更することで、加工部位における成膜状態を改善することが可能となっている。
【００６５】
従って、本実施形態のように、ステップＳ１４にて行われる加工部位における成膜状態の評価の結果、前記成膜状態が不良であると評価された場合に（Ｓ１５）、プレスロール１１・１２の間隔や回転駆動速度といった成膜装置６の運転条件を変更し、成膜装置６の運転を継続することで（Ｓ１７）、加工部位に不具合が発生した場合でも、その不具合を直ちに修正して、正常な成膜状態でのシート状物５２ａの成膜を継続することができ、安定した品質のシート状物を得ることが可能となる。
【００６６】
特に、成膜装置６によるシート状物５２ａの成膜を長時間継続した場合、粉粒体５２を圧縮成形することにより発熱してプレスロール１１・１２が熱膨張したり、プレスロール１１・１２間に供給される粉粒体５２の状態がばらついたりして、シート状物５２ａの成膜状態が経時的に変化することとなるが、このような場合でも、粉粒体５２が圧縮成形されている加工部位の成膜状態を撮像具２０にて直接確認することにより、成膜状態の変化を直ちに把握して、プレスロール１１・１２の間隔や回転駆動速度といった成膜装置６の運転条件にフィードバックすることができるため、常に最適な運転条件で成膜装置６を運転することが可能となる。
また、成膜状態が不良のまま成膜されることがないため、不良発生時における材料や工程の無駄発生を最小限に抑えることが可能となる。
【００６７】
なお、本実施形態の成膜装置６においても、中空部１１ａを有した円筒状のプレスロール１１に代えて中実の円柱状のプレスロール１１１を用いることができる。
また、プレスロールを通じて前記加工部位の視認を可能とする透過部をプレスロール１１のみに設けるだけでなく、プレスロール１２のみに透過部を構成したり、プレスロール１１・１２の両方に透過部を構成したりすることも可能である。
さらに、成膜装置６を、転写ロール１３を備えず、プレスローラ１１・１２のみを備えた二本ロール式の成膜装置に構成することもできる。
【００６８】
[第３実施形態]
次に、本発明に係る成膜装置の第３実施形態について説明する。
図１４〜図１６に示す成膜装置７は、第２実施形態の成膜装置６に対して、ホッパ３０の構成が異なる他は同様に構成されている。
従って、成膜装置７におけるホッパ３０以外の構成については、その説明を省略する。
【００６９】
成膜装置７におけるホッパ３０は、プレスロール１１・１２の軸方向の両端部に、前記軸方向と直交する側面３１・３１を有している。側面３１・３１は、ホッパ３０からプレスロール１１・１２の間に供給される粉粒体５２の、前記軸方向における供給幅を規制するものである。
【００７０】
側面３１は、固定側面３１ａおよび可動側面３１ｂを備えている。
固定側面３１ａは、プレスロール１１・１２の上方からプレスロール１１・１２間の近傍にかけて配置されており、固定側面３１ａの下端部は、例えばプレスロール１１・１２間における粉粒体５２の加圧部位の上端部に位置している。固定側面３１ａは、垂直方向に形成されている。
【００７１】
可動側面３１ｂは、固定側面３１ａの下端部から、プレスロール１１・１２間に向けて下方へ延出可能に構成される側面であり、固定側面３１ａの下端部から下方へ向けて（加圧部位内へ）延出しない状態と、固定側面３１ａの下端部から下方へ向けて（加圧部位内へ）延出する状態とを切り替え可能に構成されている。
また、可動側面３１ｂは、固定側面３１ａの下端部から、例えばプレスロール１１・１２の間隔が最も狭くなる位置（プレスロール１１・１２が最も近接する位置）までの範囲内で、その延出長さを適宜調節可能に構成されている。つまり、可動側面３１ｂは、加圧部位内への延出量を調節可能に構成されている。
【００７２】
可動側面３１ｂ・３１ｂは、下端側へいくに従ってホッパ３０の軸方向内側へいくように（つまり、一方の可動側面３１ｂの下端部と他方の可動側面３１ｂの下端部とが近接する側に）傾斜可能に構成されており、このように傾斜する傾斜姿勢と、垂直方向に配置される垂直姿勢とを切り替え可能に構成されている。
また、可動側面３１ｂ・３１ｂの傾斜角度、すなわち粉粒体５２のホッパ３０からプレスロール１１・１２間へ向けての吐出方向に対する角度は、調節可能に構成されている。
そして、可動側面３１ｂ・３１ｂを前述のように傾斜させることで、ホッパ３０に貯溜される粉粒体５２をプレスロール１１・１２間へ供給する際に、軸方向両端部に位置する粉粒体５２を、可動側面３１ｂ・３１ｂにより軸方向内側へ寄せ集めたうえで、プレスロール１１・１２間へ供給することが可能となっている。
【００７３】
可動側面３１ｂ・３１ｂには、それぞれ可動側面駆動機構３１ｃ・３１ｃが接続されており、可動側面駆動機構３１ｃ・３１ｃにより、可動側面３１ｂ・３１ｂのプレスロール１１・１２間へ向けての延出量や、傾斜角度が調節可能となっている。
可動側面駆動機構３１ｃ・３１ｃは、制御装置９０に接続されており、制御装置９０により、可動側面駆動機構３１ｃ・３１ｃによる可動側面３１ｂ・３１ｂの延出量および傾斜角度の調節動作を制御するように構成されている。
【００７４】
成膜装置７においては、成膜装置６の場合と同様に、粉粒体５２を圧縮成形してシート状物５２ａを成膜している最中に、評価装置８０により加工部位における成膜状態の評価を行うとともに、制御装置９０により、評価装置８０による評価結果を成膜装置７にフィードバックして、前記評価結果が不良であった場合には、成膜装置７の運転条件を変更したうえでシート状物５２ａの成膜を継続して行うように構成しているが、成膜装置７では変更する運転条件を、可動側面３１ｂ・３１ｂの延出量および傾斜角度としている。
【００７５】
次に、成膜装置７において、粉粒体５２を圧縮成形してシート状物５２ａを成膜している最中に加工部位における成膜状態の評価を行う際のフローについて説明する。
【００７６】
図１７に示すように、まず、プレスロール１１・１２の間隔および回転駆動速度、ならびに可動側面３１ｂ・３１ｂの延出量および傾斜角度等といった成膜装置７の初期の運転条件を決定し、決定した運転条件を入力装置を通じて制御装置９０に入力する（Ｓ２１）。制御装置９０は、入力された初期の運転条件に従って成膜装置７を運転制御する。制御装置９０により運転制御される成膜装置７においては、粉粒体５２がホッパ３０からプレスロール１１・１２間に供給され、供給された粉粒体５２がプレスロール１１・１２間にて圧縮成形されてシート状物５２ａが成膜される（Ｓ２２）。シート状物５２ａの成膜中には、制御装置９０により制御されるカメラ２１により、粉粒体５２の加工部位がプレスロール１１の透過部１１Ａを通じて撮像され、前記加工部位の撮像画像が評価装置８０に入力される。（Ｓ２３）。前記加工部位の撮像画像が入力された評価装置８０においては、入力された前記加工部位の撮像画像を用いて、前記加工部位における成膜状態の評価が行われる（Ｓ２４）。
【００７７】
ステップＳ２４において行われる、評価装置８０による加工部位における成膜状態の評価は、第２実施形態における成膜状態の評価をする際のフローのステップＳ１４にて行われる成膜状態の評価と同様に行われる。
つまり、例えばカメラ２１により撮像した画像に対してグレースケール処理等の画像処理を適宜行い、撮像画像の加工部位において良好部位として表わされている範囲の画像を抽出し、抽出した良好部位の画像から評価の判断基準となる値を算出し、算出した判断基準値と予め設定された閾値とを比較することにより、成膜状態の評価を行う。
また、評価装置８０により、前回算出された評価の判断基準となる値と、今回算出された評価の判断基準となる値とを比較することにより、成膜状態の評価を行うことも可能である。
この場合、成膜状態の評価は、特に加工部位における軸方向端部の成膜状態について評価することができる。
【００７８】
ステップＳ２４での評価装置８０による加工部位における成膜状態の評価の結果、前記成膜状態が良好であると評価された場合、即ち成膜されるシート状物５２ａが良品であると評価された場合は（Ｓ２５）、制御装置９０は、成膜装置７の運転条件を変更することなく、現在の運転条件を維持して成膜装置７の運転を継続する（Ｓ２６）。
一方、ステップＳ１４での評価装置８０による加工部位における成膜状態の評価の結果、前記成膜状態が不良であると評価された場合、即ち成膜されるシート状物５２ａが不良品であると評価された場合は（Ｓ２５）、成膜装置７の運転条件を変更したうえで、成膜装置７の運転を継続する（Ｓ２７）。
【００７９】
この場合、制御装置９０により変更される成膜装置７の運転条件は、ホッパ３０における可動側面３１ｂ・３１ｂの延出量および傾斜角度である。
また、可動側面３１ｂ・３１ｂの延出量および傾斜角度といった運転条件の変更は、成膜状態が現在の不良である状態から良好である状態になるように行われる。
成膜状態が不良である状態から良好である状態になる運転条件は、予め実験等により求めて制御装置９０に記憶しておくことができる。
【００８０】
ここで、可動側面３１ｂ・３１ｂの延出量や傾斜角度による、加工部位におけるシート状物５２ａの軸方向端部の成膜状態の違いについて説明する。
図１８には、可動側面３１ｂ・３１ｂの延出量や傾斜角度を変化させた場合の、成膜状態を示している。
【００８１】
図１８（ａ）に示すように、可動側面３１ｂ・３１ｂの延出量を、可動側面３１ｂ・３１ｂの下端が加工部位の上端部に位置するように調整するとともに、可動側面３１ｂ・３１ｂの傾斜角度を、可動側面３１ｂ・３１ｂが垂直となるように調整した場合には、加工部位に良品部位が出現していない。また、シート状物５２ａの軸方向端部が、可動側面３１ｂ・３１ｂよりも軸方向外側へ膨出するとともに、不均一な膨出度合となっている。
このように、シート状物５２ａの軸方向端部が軸方向外側へ膨出するとともに、加工部位に良品部位が出現しない状態となるのは、粉粒体５２がホッパ３０からプレスロール１１・１２間へ向かって吐出された際に、軸方向端部の粉粒体５２が軸方向両側へ広がってしまい、加工部位において十分な緻密度合にまで圧縮され難い状態となるためであると考えられる。
【００８２】
一方、図１８（ｂ）に示すように、可動側面３１ｂ・３１ｂの延出量を、可動側面３１ｂ・３１ｂの下端が加工部位の上端部に位置するように調整するとともに、可動側面３１ｂ・３１ｂの傾斜角度を、可動側面３１ｂ・３１ｂの下端部が軸方向内側へ入り込む側に傾斜するように調整した場合には、加工部位の全体にわたって良品部位が出現した。また、シート状物５２ａの軸方向端部は、可動側面３１ｂ・３１ｂと同じ軸方向位置に位置しているが、若干のばらつきが存在している。
【００８３】
このように、加工部位に全体にわたって良品部位が出現するのは、粉粒体５２がホッパ３０から吐出される際に、軸方向内側へ傾斜された可動側面３１ｂ・３１ｂによりホッパ３０における軸方向端部の粉粒体５２が内側へ寄せ集められて、プレスロール１１・１２間において、成膜されるシート状物５２ａの軸方向寸法内に十分な量の粉粒体５２が供給されることとなるため、粉粒体５２を加工部位において十分な緻密度合にまで圧縮され易いためであると考えられる。
但し、可動側面３１ｂ・３１ｂの下端が加工部位の上端部に位置しており、粉粒体５２が加工部位にて圧縮成形されている間は、粉粒体５２は可動側面３１ｂ・３１ｂにより軸方向外側への移動を規制されていないため、成膜されるシート状物５２ａにおける軸方向端部の軸方向位置は、若干ばらつくこととなる。
【００８４】
さらに、図１８（ｃ）に示すように、可動側面３１ｂ・３１ｂを下方へ延出して、可動側面３１ｂ・３１ｂの延出量を、可動側面３１ｂ・３１ｂの下端が加工部位の下端部に位置するように調整するとともに、可動側面３１ｂ・３１ｂの傾斜角度を、可動側面３１ｂ・３１ｂが垂直となるように調整した場合には、加工部位の全体にわたって良品部位が出現した。また、シート状物５２ａの軸方向端部は、可動側面３１ｂ・３１ｂと同じ軸方向位置に位置しており、その軸方向位置も均一となっている。
【００８５】
加工部位に全体にわたって良品部位が出現するのは、粉粒体５２がホッパ３０から吐出される際に、ホッパ３０における軸方向端部の粉粒体５２が、可動側面３１ｂ・３１ｂにより軸方向外側へ移動することを規制され、軸方向外側へ膨出することがないため、加工部位において十分な緻密度合にまで圧縮され易いためであると考えられる。
また、可動側面３１ｂ・３１ｂは加工部位の上端から下端までにわたって存在しているため、粉粒体５２が加工部位にて圧縮成形されている間は、粉粒体５２は常に可動側面３１ｂ・３１ｂにより軸方向外側への移動を規制されることとなり、成膜されるシート状物５２ａにおける軸方向端部の軸方向位置が均一に揃うこととなる。
このように、成膜装置７の運転条件である可動側面３１ｂ・３１ｂの延出量および傾斜角度を変更することで、加工部位における成膜状態を改善することが可能となっている。
【００８６】
従って、本実施形態のように、ステップＳ２４にて行われる加工部位における成膜状態の評価の結果、前記成膜状態が不良であると評価された場合に（Ｓ２５）、可動側面３１ｂ・３１ｂの延出量および傾斜角度といった成膜装置７の運転条件を変更し、成膜装置７の運転を継続することで（Ｓ２７）、加工部位に不具合が発生した場合でも、その不具合を直ちに修正して、正常な成膜状態でのシート状物５２ａの成膜を継続することができ、安定した品質のシート状物を得ることが可能となる。
【００８７】
特に、成膜装置７によるシート状物５２ａの成膜を長時間継続した場合、粉粒体５２を圧縮成形することにより発熱してプレスロール１１・１２が熱膨張したり、プレスロール１１・１２間に供給される粉粒体５２の状態がばらついたりして、シート状物５２ａの成膜状態が経時的に変化することとなるが、このような場合でも、粉粒体５２が圧縮成形されている加工部位を撮像具２０にて直接確認することにより、成膜状態の変化を直ちに把握して、可動側面３１ｂ・３１ｂの延出量および傾斜角度といった成膜装置７の運転条件にフィードバックすることができるため、常に最適な運転条件で成膜装置７を運転することが可能となる。
また、成膜状態が不良のまま成膜されることがないため、不良発生時における材料や工程の無駄発生を最小限に抑えることが可能となる。
【００８８】
なお、本実施形態では、前記成膜状態が不良であると評価された場合に（Ｓ２５）、可動側面３１ｂ・３１ｂの延出量および傾斜角度を変更するように構成した場合を説明したが、これに限るものではなく、実施形態２で説明したようなプレスロール１１・１２の間隔や回転駆動速度の変更と、可動側面３１ｂ・３１ｂの延出量および傾斜角度の変更との両方を実施することも可能である。
このように、プレスロール１１・１２の間隔や回転駆動速度の変更と、可動側面３１ｂ・３１ｂの延出量および傾斜角度の変更との両方を実施することにより、例えばプレスロール１１・１２の間隔や回転駆動速度の変更を行っただけではシート状物５２ａの成膜状態を完全に良好にすることができない場合でも、プレスロール１１・１２の間隔や回転駆動速度の変更に加えて可動側面３１ｂ・３１ｂの延出量および傾斜角度の変更を行うことで、シート状物５２ａの成膜状態を完全に良好なものとすることが可能となる。
【００８９】
また、本実施形態の成膜装置７においても、中空部１１ａを有した円筒状のプレスロール１１に代えて中実の円柱状のプレスロール１１１を用いることができる。
また、プレスロールを通じて前記加工部位の視認を可能とする透過部をプレスロール１１のみに設けるだけでなく、プレスロール１２のみに透過部を構成したり、プレスロール１１・１２の両方に透過部を構成したりすることも可能である。
さらに、成膜装置７を、転写ロール１３を備えず、プレスローラ１１・１２のみを備えた二本ロール式の成膜装置に構成することもできる。
【符号の説明】
【００９０】
１・６・７  成膜装置
５    圧縮成形シート
１０    成膜部
１１・１２  プレスロール
１１Ａ  透過部
１１ａ  中空部
２０    撮像具
２１    カメラ
２２    ミラー
２３    照明
３０    ホッパ
３１    側面
３１ａ  固定側面
３１ｂ  可動側面
５１    基材
５２    粉粒体
５２ａ  シート状物
８０    評価装置
９０    制御装置
【図１】
2016112754.tif 000003
【図２】
2016112754.tif 000004
【図３】
2016112754.tif 000005
【図４】
2016112754.tif 000006
【図５】
2016112754.tif 000007
【図６】
2016112754.tif 000008
【図７】
2016112754.tif 000009
【図８】
2016112754.tif 000010
【図９】
2016112754.tif 000011
【図１０】
2016112754.tif 000012
【図１１】
2016112754.tif 000013
【図１２】
2016112754.tif 000014
【図１３】
2016112754.tif 000015
【図１４】
2016112754.tif 000016
【図１５】
2016112754.tif 000017
【図１６】
2016112754.tif 000018
【図１７】
2016112754.tif 000019
【図１８】
2016112754.tif 000020